(57)【要約】【課題】  車内で使用される通称香り玉タイプの芳香剤等について、効き目が無くなるまで使い切ることを可能ならしめる車内芳香剤等収納ボックスの提供を図る。【解決手段】  車内に設置され芳香剤等の充填物２０を収容するボックスであって、一あるいは複数の壁面１１で形成され、内部に該壁面１１で覆われた中空状の収容部１２を備えるボックス本体１０において、少なくとも一壁面１１における一部若しくは全部が格子状となっており、前記収容部１２内に充填物２０を装入するための蓋体１４により開閉可能な開口部１３が備えられている。【選択図】図１
0003162540.tif 000002
【実用新案登録請求の範囲】
【請求項１】
車内に設置され芳香剤等の充填物を収容するボックスであって、
一あるいは複数の壁面で形成され、内部に該壁面で覆われた中空状の収容部を備えるボックス本体において、少なくとも一壁面における一部若しくは全部が格子状となっており、前記収容部内に充填物を装入するための蓋体により開閉可能な開口部が備えられていることを特徴とする車内芳香剤等収納ボックス。
【請求項２】
前記車内収納ボックスにおいて、ボックス本体下部に、貼着部が備えられていることを特徴とする請求項１に記載の車内芳香剤等収納ボックス。
【考案の詳細な説明】
【技術分野】
【０００１】
本考案は、車内において、芳香剤等の充填物を収納するための収納ボックスに関するものである。
【背景技術】
【０００２】
従来より、車内の芳香や消臭、脱臭等を目的として、各種の芳香剤等が用いられている。かかる芳香剤等の主な形式としては、香料等を染み込ませた紙片等を車内にぶら下げる紙片タイプや、香りのする液体が詰められた瓶等を車内に設置する瓶タイプ、そして、灰皿内に香り効果を備える錠剤（通称「香り玉」）を適量充填する香り玉タイプなどが存在する。
【０００３】
紙片タイプの芳香剤等は、香りの効き目が薄れてきたら廃棄され、また、瓶タイプの芳香剤等は、瓶内に詰められた液体が無くなったら廃棄される。そして、香り玉タイプについては、芳香剤等としての効き目の厚薄に関係なく、吸殻を捨てる際に一緒に廃棄されている。
【０００４】
すなわち、先の２つのタイプについて、芳香剤等としての効き目が無くなった状態で廃棄されることは、止むを得ない。しかしながら、香り玉タイプについては、芳香剤等としての効き目が未だ充分に残っていたとしても、吸殻と共に廃棄されることとなってしまうため、経済的に非常に無駄が多いという現状がある
【考案の開示】
【考案が解決しようとする課題】
【０００５】
本考案は、上記問題点に鑑みてなされたものであって、車内で使用される通称香り玉タイプの芳香剤等について、効き目が無くなるまで使い切ることを可能ならしめる車内芳香剤等収納ボックスを提供することを課題とするものである。
【課題を解決するための手段】
【０００６】
上記目的を達成するため、本考案は、車内に設置され芳香剤等の充填物を収容するボックスであって、一あるいは複数の壁面で形成され、内部に該壁面で覆われた中空状の収容部を備えるボックス本体において、少なくとも一壁面における一部若しくは全部が格子状となっており、前記収容部内に充填物を装入するための蓋体により開閉可能な開口部が備えられている構成となっている。
【０００７】
また、本考案は、前記ボックス本体下部に、貼着部が備えられている構成を採用し得る。
【考案の効果】
【０００８】
本考案にかかる車内芳香剤等収納ボックスよれば、通称「香り玉」と呼ばれる香り効果を備える錠剤について、効き目が無くなるまで使い切ることが可能となる。これにより、未だ効き目を有する使用可能な香り玉を無駄に捨てることなく、経済的に有利な効果を奏するものである。
【０００９】
また、本考案にかかる車内芳香剤等収納ボックスよれば、場所を問わず、車内のあらゆる箇所に設置可能であるとともに、何個でも設置可能であって、効き目の厚薄を自由に設定できるとともに、好きな香り・色々な香りを長期間楽しむことが可能となる。
【００１０】
さらに、本考案にかかる車内芳香剤等収納ボックスよれば、灰皿内に設置することで、灰皿スペース容量を小さくすることとなり、したがって吸殻を捨てる頻度が多くなるため、車内のタバコ臭が減少するという二次的効果も奏する。
【図面の簡単な説明】
【００１１】
【図１】本考案かかる車内芳香剤等収納ボックスの実施形態を示す説明図である。
【図２】本考案かかる車内芳香剤等収納ボックスの実施形態を示す説明図である。
【図３】本考案かかる車内芳香剤等収納ボックスの実施態様を示す説明図である。
【考案を実施するための最良の形態】
【００１２】
本考案にかかる車内芳香剤等収納ボックスは、通称「香り玉」と呼ばれる香り効果を備える錠剤について、効き目が無くなるまで使い切ることを可能ならしめたことを最大の特徴とする。以下、本考案の車内芳香剤等収納ボックスの実施形態を、図面に基づいて説明する。
【００１３】
図１乃至図２は、本考案かかる車内芳香剤等収納ボックス１の実施形態を示す説明図である。
該車内芳香剤等収納ボックス１は、一あるいは複数の壁面１１で形成されている。すなわち、図１は、複数の壁面１１によって形成された立方体型のボックス本体１０構造を採用した場合について示しており、また、図２は、一の壁面１１によって形成された球型のボックス本体１０構造を採用した場合について示している。
【００１４】
ボックス本体１０は、前記壁面１１で覆われた内部に、中空状の収容部１２を備えている。該収容部１２には、通称「香り玉」と呼ばれる香り効果を備える錠剤である香り玉タイプの芳香剤や消臭剤、脱臭剤、除湿剤等といった、充填物２０が収容されることとなる。
【００１５】
前記壁面１１は、その全部若しくは少なくとも一部が、格子状となっている。格子状の一マスの大きさは、収容部１２に装入された充填物２０である錠剤が外部へ通り抜けない大きさより小さい大きさになっており、例えば、メッシュのように細かい目の格子状とすることが考え得る。
【００１６】
壁面１１を格子状とする場合に、ボックス本体１０全体すなわち全ての壁面１１を全面にわたって格子状とすることも可能であり、あるいは、所定壁面１１のみ且つその壁面１１における全面あるいは一部のみを格子状とすることも可能である。
【００１７】
前記ボックス本体１０には、前記収容部１２内に充填物２０を装入するための開口部１３が備えられている。該開口部１３は、蓋体１４により開閉可能となっている。
【００１８】
前記蓋体１４による開閉構造については、特に限定はないが、例えば支点を軸に回動可能な構造を採用することができる。
なお、前記開口部１３を蓋体１４により閉口した状態において、該蓋体１４が係止される構造を採用することが望ましい。すなわち、蓋体１４が係止されることで、ボックス本体１０が逆さまになっても、充填物２０が収容部１２から開口部１３を介して逆流することなく、収容された状態のまま収容部１２内に保持されることとなる。
【００１９】
以上の通り構成される本考案にかかる車内芳香剤等収納ボックス１について、その全体材質については、限定するものではない。例えば、壁面１２における格子状部分を、ボックス本体１０と別材質にて構成する態様も考え得る。しかしながら、灰皿Ａ内に設置する態様を考慮すると、全体的に耐熱性樹脂製とすることが考え得る。
【００２０】
本考案にかかる車内芳香剤等収納ボックス１は、灰皿Ａ内やダッシュボード、トランク内、ドアトリム内等、車内ありとあらゆる箇所に設置することが可能である。図３は、本考案にかかる車内芳香剤等収納ボックス１を灰皿Ａ内に設置した場合を示す説明図である。
【００２１】
このとき、車内への設置に際して、ボックス本体１０の下部に、貼着部１５が備えられていることが好ましい。
該貼着部１５の構成については、特に限定はないが、例えば、両面テープやベルクロファスナーなどが考え得る。
【００２２】
本考案にかかる車内芳香剤等収納ボックス１の使用方法については、何ら難しいことはない。すなわち、まず初めにボックス本体１０における蓋体１４を開け、既に使用済み充填物２０が収容されている場合には該充填物２０を廃棄し、次いで開口部１３から新たな充填物２０を収容部１２内に装入した後、蓋体１４を閉めることで足りる。
【産業上の利用可能性】
【００２３】
本考案によれば、未だ使用可能な効き目のある状態で従来廃棄されていた香り玉タイプの充填物２０について、効き目が無くなるまで使い切ることができることから、経済的に有利な効果を奏するだけでなく、廃棄物の減少にも資することとなり、また、香り玉タイプの充填物２０は、従来灰皿Ａにのみ使用されていたところ、本考案によってあらゆる場所に設置を可能ならしめ、幅広い利用可能性を奏することとなり、本考案にかかる車内芳香剤等収納ボックス１の産業上の利用可能性は極めて高いものと思量する。
【符号の説明】
【００２４】
１    車内芳香剤等収納ボックス
１０    ボックス本体
１１    壁面
１２    収容部
１３    開口部
１４    蓋体
１５    貼着部
２０    充填物
Ａ    灰皿
【図１】
0003162540.tif 000003
【図２】
0003162540.tif 000004
【図３】
0003162540.tif 000005
【手続補正書】
【提出日】平成22年7月12日(2010.7.12)
【手続補正１】
【補正対象書類名】実用新案登録請求の範囲
【補正対象項目名】請求項２
【補正方法】変更
【補正の内容】
【請求項２】
前記車内芳香剤等収納ボックスにおいて、ボックス本体下部に、貼着部が備えられていることを特徴とする請求項１に記載の車内芳香剤等収納ボックス。